(57)【特許請求の範囲】
【請求項１】
異なる種類の表示装置のうち１種類以上の表示装置で表示可能な表示データを複数種類記憶している記憶部と、
前記異なる種類の表示装置のうち自装置と直接または間接的に接続している第１の表示装置から、前記第１の表示装置で表示可能な表示データを特定するための表示装置情報を取得する表示装置情報取得部と、
前記表示装置情報に基づいて前記第１の表示装置で表示可能な表示データを前記記憶部から読み出し、読み出した表示データを前記第１の表示装置に配信する配信部と、
を備え、
前記第１の表示装置は複数数珠繋ぎ状に接続されており、
前記表示装置情報取得部は、１つの前記第１の表示装置から前記表示装置情報の取得を試み、取得できなかった場合は前記表示装置情報を要求する前記第１の表示装置を変更し、他の前記第１の表示装置から前記表示装置情報を取得し、
前記配信部は、前記表示装置情報に基づいて前記第１の表示装置で表示可能な表示データを前記記憶部から読み出し、読み出した表示データを１つの前記第１の表示装置に配信する、
ことを特徴とする配信装置。
【請求項２】
前記表示装置情報取得部は、自装置が起動するごとに前記第１の表示装置から前記表示装置情報を取得する、
ことを特徴とする請求項１に記載の配信装置。
【請求項３】
前記表示装置情報取得部は、前記表示装置情報を取得できなかった場合、前記表示装置情報を取得できなかった旨を前記配信部に通知し、
前記配信部は、前記表示装置情報取得部からの通知に基づいてデフォルト設定された表示データを前記記憶部から読み出し、読み出した表示データを前記第１の表示装置に配信する、
ことを特徴とする請求項１または２に記載の配信装置。
【請求項４】
前記表示装置情報取得部は、前記第１の表示装置が故障していると判断した場合、前記第１の表示装置が故障している旨を前記配信部に通知し、
前記配信部は、前記表示装置情報取得部からの通知に基づいて、前記第１の表示装置に表示データを配信しない、
ことを特徴とする請求項１または２に記載の配信装置。
【請求項５】
数珠繋ぎ状に接続された複数の第１の表示装置を表示装置群とし、複数の表示装置群の各々と独立して接続している場合、
前記表示装置情報取得部は、各表示装置群の１つの前記第１の表示装置から前記表示装置情報を取得し、
前記配信部は、前記表示装置群毎に、前記表示装置情報に基づいて各表示装置群の前記第１の表示装置で表示可能な表示データを前記記憶部から読み出し、読み出した表示データを各表示装置群の１つの前記第１の表示装置に配信する、
ことを特徴とする請求項１から４のいずれか１つに記載の配信装置。
【請求項６】
請求項１から５のいずれか１つに記載の配信装置と、
表示装置と、
を備え、
前記表示装置は、
自装置で表示可能な表示データを特定するための表示装置情報を記憶する記憶部と、
前記表示データを配信する配信装置からの前記表示装置情報の取得要求に対して、前記記憶部から前記表示装置情報を読み出し、読み出した前記表示装置情報を前記配信装置に出力する応答部と、
前記配信装置から配信された前記表示データを受信する受信部と、
前記受信部で受信された前記表示データを表示する表示部と、
を備え、
前記表示装置が、請求項１から５のいずれか１つに記載の第１の表示装置であることを特徴とする車両内表示システム。
【請求項７】
配信装置が、直接または間接的に接続している第１の表示装置に、前記第１の表示装置で表示可能な表示データを特定するための表示装置情報を要求する要求ステップと、
前記第１の表示装置が、記憶部から前記表示装置情報を読み出し、読み出した前記表示装置情報を前記配信装置に出力する応答ステップと、
前記配信装置が、前記第１の表示装置から取得した前記表示装置情報に基づいて前記第１の表示装置で表示可能な表示データを、異なる種類の表示装置のうち１種類以上の表示装置で表示可能な表示データを複数種類記憶している記憶部から読み出し、読み出した表示データを前記第１の表示装置に配信する配信ステップと、
前記第１の表示装置が、前記配信装置から受信した表示データを表示する表示ステップと、
を含み、
前記第１の表示装置は複数数珠繋ぎ状に接続されており、
前記要求ステップにおいて、前記配信装置は、１つの前記第１の表示装置から前記表示装置情報の取得を試み、取得できなかった場合は前記表示装置情報を要求する前記第１の表示装置を変更し、他の前記第１の表示装置から前記表示装置情報を取得し、
前記配信ステップにおいて、前記配信装置は、前記表示装置情報に基づいて前記第１の表示装置で表示可能な表示データを前記記憶部から読み出し、読み出した表示データを１つの前記第１の表示装置に配信する、
ことを特徴とする車両内表示方法。
【発明の詳細な説明】
【技術分野】
【０００１】
本発明は、車両内の表示装置に表示データを配信する配信装置、表示装置、車両内表示システムおよび車両内表示方法に関する。
【背景技術】
【０００２】
従来、端末装置が、各車両に搭載されて数珠繋ぎ状に接続された複数の表示器に対して、列車の運行情報などの車内案内情報を配信するシステムがある（特許文献１）。特許文献１に記載のシステムは、構成機器を少なくして車両に対する省スペース化を実現しつつ、車両内配線の引き回しも容易とする高機能大容量伝送ネットワークを実現している。
【先行技術文献】
【特許文献】
【０００３】
【特許文献１】特開２０１１−２４０７３７号公報
【発明の概要】
【発明が解決しようとする課題】
【０００４】
表示器に使用されるモニタの仕様は、違う編成の車両の間で異なることがある。具体的には、ある編成の車両では画面アスペクト比が４：３の表示器のモニタを使用し、別の編成の車両では画面アスペクト比が１６：９の表示器のモニタを使用している場合がある。【０００５】
上記従来の技術によれば、複数の編成において各端末装置は、同じ車内案内情報を用いて自編成の表示器に配信を行う。そのため、ある編成の表示器では必要な情報が表示されず、別の編成の表示器ではスケーリング処理によって歪んだ情報を表示する場合がある、という問題があった。車内案内情報が画面アスペクト比１６：９を想定して作成されている場合、画面アスペクト比４：３のモニタを使用している表示器では、必要な情報を表示できないおそれがある。また、車内案内情報が画面アスペクト比４：３を想定して作成されている場合、画面アスペクト比１６：９のモニタを使用している表示器では、スケーリング処理によって歪んだ情報を表示してしまうおそれがある。各編成の車両に搭載されている表示器に適した表示データを地上側から各編成の端末装置に個別に配信することも可能であるが、配信処理に手間がかかる。【０００６】
本発明は、上記に鑑みてなされたものであって、接続されている表示装置に適した表示データを配信可能な配信装置を得ることを目的とする。
【課題を解決するための手段】
【０００７】
上述した課題を解決し、目的を達成するために、本発明の配信装置は、異なる種類の表示装置のうち１種類以上の表示装置で表示可能な表示データを複数種類記憶している記憶部と、異なる種類の表示装置のうち自装置と直接または間接的に接続している第１の表示装置から、第１の表示装置で表示可能な表示データを特定するための表示装置情報を取得する表示装置情報取得部と、表示装置情報に基づいて第１の表示装置で表示可能な表示データを記憶部から読み出し、読み出した表示データを第１の表示装置に配信する配信部と、を備える。第１の表示装置は複数数珠繋ぎ状に接続されており、表示装置情報取得部は、１つの第１の表示装置から表示装置情報の取得を試み、取得できなかった場合は表示装置情報を要求する第１の表示装置を変更し、他の第１の表示装置から表示装置情報を取得し、配信部は、表示装置情報に基づいて第１の表示装置で表示可能な表示データを記憶部から読み出し、読み出した表示データを１つの第１の表示装置に配信することを特徴とする。
【発明の効果】
【０００８】
本発明によれば、配信装置は、接続されている表示装置に適した表示データを配信できる、という効果を奏する。
【図面の簡単な説明】
【０００９】
【図１】実施の形態１にかかる車両内表示システムの構成例を示す図
【図２】実施の形態１にかかる配信装置および表示装置の構成例を示すブロック図
【図３】実施の形態１にかかる配信装置の動作を示すフローチャート
【図４】実施の形態１にかかる記憶部に記憶されている表示データと表示装置情報との対応関係を示すテーブルの例を示す図
【図５】実施の形態１にかかる表示装置の動作を示すフローチャート
【図６】実施の形態１にかかる車両内表示システムにおいて表示装置が表示データを表示するまでの動作を示すフローチャート
【図７】実施の形態１にかかる配信装置の処理回路をプロセッサおよびメモリで構成する場合の例を示す図
【図８】実施の形態１にかかる配信装置の処理回路を専用のハードウェアで構成する場合の例を示す図
【図９】実施の形態２にかかる車両内表示システムの構成例を示す図
【図１０】実施の形態２にかかる配信装置の構成例を示すブロック図
【発明を実施するための形態】
【００１０】
以下に、本発明の実施の形態にかかる配信装置、表示装置、車両内表示システムおよび車両内表示方法を図面に基づいて詳細に説明する。なお、この実施の形態によりこの発明が限定されるものではない。
【００１１】
実施の形態１．
図１は、本発明の実施の形態１にかかる車両内表示システム４の構成例を示す図である。車両内表示システム４は、配信装置１と、表示装置２−１〜２−８と、を備える。配信装置１および表示装置２−１〜２−８は、列車５に搭載され、隣接する装置と接続線３によって接続されている。表示装置２−１〜２−８は数珠繋ぎ状に接続されている。表示装置２−１〜２−８は同一構成とする。表示装置２−１〜２−８を区別しない場合、表示装置２と称することがある。図１では、表示装置２が８台であるが、一例であり、これに限定されるものではない。また、図１では、列車５を構成する車両数が２両であるが、一例であり、これに限定されるものではない。
【００１２】
配信装置１は、表示装置２に対して、表示装置２に適した、すなわち表示装置２で表示可能な表示データを配信する。表示装置２は、配信装置１から配信された表示データを受信すると、受信した表示データを表示する。車両内表示システム４では、実際には、配信装置１が表示装置２−１に表示データを配信すると、表示装置２−１が、受信した表示データを隣接する表示装置２−２に配信、すなわちリピート配信する。同様に、表示装置２−２〜２−７が、受信した表示データを隣接する表示装置２に配信する。このように、配信装置１は、読み出した表示データを１つの表示装置２−１に配信すればよい。
【００１３】
接続線３には、表示装置２で表示する表示データを伝送する映像信号ケーブル、および配信装置１と表示装置２との間で後述する表示装置情報の送受信が可能な信号ケーブルが含まれているものとする。表示データとは、例えば、列車の運行情報、停車駅の情報、路線情報などを表示するデータであるが、これらに限定されるものではない。表示データは、ＣＭ（Commercial  Message）などの映像コンテンツであってもよい。
【００１４】
一般的に、列車５においては、同一編成の中では同じ仕様、すなわち同一構成の表示装置２が使用されている。しかしながら、異なる編成の列車では、表示装置２と異なる仕様の表示装置が使用されている場合がある。例えば、表示装置によって、画面アスペクト比、解像度、画角などの仕様が異なる。このような場合、表示装置によって自装置に適した表示データが異なる。そのため、本実施の形態では、配信装置１は、異なる表示装置に適した複数種類の表示データを記憶し、自装置と接続している表示装置２から表示データを特定するための表示装置情報を取得する。そして、配信装置１は、表示装置２から取得した表示装置情報に基づいて、表示装置２に適した表示データを表示装置２に配信する。表示装置２は、配信装置１から配信された表示データを使用することで、自装置に適した表示データを表示することができる。
【００１５】
配信装置１および表示装置２の構成について説明する。図２は、実施の形態１にかかる配信装置１および表示装置２−１の構成例を示すブロック図である。図２では記載を省略しているが、配信装置１および表示装置２−１の間の２本の線が接続線３に相当する。図２において、左側の線が前述の映像信号ケーブルであり、右側の線が前述の信号ケーブルである。配信装置１は、記憶部１１と、表示装置情報取得部１２と、配信部１３と、を備える。
【００１６】
記憶部１１は、異なる種類の表示装置のうち１種類以上の表示装置で表示可能な表示データを複数種類記憶している。記憶部１１は、車両内表示システム４において配信装置１が接続する可能性のある表示装置の仕様に対応した複数の表示データを記憶している。記憶部１１に複数種類の表示データを記憶させる方法については、地上側の装置から各列車５の配信装置１に一斉配信してもよいし、各列車５の記憶部１１に外部記憶媒体を用いて記憶させてもよい。
【００１７】
表示装置情報取得部１２は、配信装置１と直接または間接的に接続している表示装置２から、表示装置２で表示可能な表示データを特定するための表示装置情報を取得する。表示装置２は、前述の異なる種類の表示装置のうちの１つに該当するものである。表示装置情報とは、例えば、表示装置２で使用されるモニタの画面アスペクト比、解像度、画角など、表示装置２の仕様を特定する情報である。表示装置情報は、表示装置２を特定可能なものであれば、直接的に仕様を明示するものではなく、表示装置２の型番、モデル名などであってもよい。車両内表示システム４では、同一編成の列車５内では同じ表示装置２を使用することを想定している。そのため、表示装置情報取得部１２は、表示装置２−１〜２−８のうち１つの表示装置２から表示装置情報を取得できればよい。
【００１８】
配信部１３は、表示装置情報取得部１２で取得された表示装置情報に基づいて、表示装置２で表示可能、すなわち表示装置２に適した表示データを記憶部１１から読み出す。配信部１３は、読み出した表示データを表示装置２に配信する。表示装置２−１〜２−８が数珠繋ぎ状に接続されているため、配信部１３は、実際には、表示データを１つの表示装置２−１に配信すればよい。なお、配信装置１と直接または間接的に接続している表示装置２を第１の表示装置と称する場合がある。図１の例では、配信装置１にとって、表示装置２−１〜２−８は第１の表示装置である。
【００１９】
表示装置２−１は、記憶部２１と、応答部２２と、受信部２３と、表示部２４と、配信部２５と、を備える。記憶部２１は、表示装置２−１で表示可能な表示データを特定するための表示装置情報を記憶している。応答部２２は、表示データを配信する配信装置１からの表示装置情報の取得要求に対して、記憶部２１から表示装置情報を読み出す。応答部２２は、読み出した表示装置情報を配信装置１に出力する。受信部２３は、配信装置１から配信された表示データを受信する。表示部２４は、受信部２３で受信された表示データを表示する。配信部２５は、配信装置１から直接または間接的に受信した表示データを、他の表示装置２に配信する。
【００２０】
つづいて、配信装置１の動作について説明する。図３は、実施の形態１にかかる配信装置１の動作を示すフローチャートである。
【００２１】
まず、表示装置情報取得部１２は、配信装置１すなわち車両内表示システム４が起動すると（ステップＳ１）、表示装置２に対して表示装置情報を要求する（ステップＳ２）。表示装置情報取得部１２は、配信装置１すなわち車両内表示システム４が起動するごとに表示装置２から表示装置情報を取得する処理を行う。表示装置情報取得部１２は、直接接続している表示装置２−１に対して表示装置情報を要求してもよいし、間接的に接続している表示装置２−２〜２−８に対して表示装置情報を要求してもよい。表示装置情報取得部１２は、表示装置２から表示装置情報を取得できた場合（ステップＳ３：Ｙｅｓ）、取得した表示装置情報を配信部１３に受け渡す。配信部１３は、記憶部１１に記憶されている表示データと表示装置情報との対応関係を示すテーブルを参照し、表示装置情報取得部１２から受け渡された表示装置情報に対応する表示データを記憶部１１から読み出す（ステップＳ４）。配信部１３は、記憶部１１から読み出した表示データを表示装置２に配信する（ステップＳ５）。
【００２２】
図４は、実施の形態１にかかる記憶部１１に記憶されている表示データと表示装置情報との対応関係を示すテーブルの例を示す図である。図４に示すテーブルは、配信部１３が、表示装置情報取得部１２から受け渡された表示装置情報がＡ，Ｂ，Ｃの場合は表示データ＃１を読み出し、表示装置情報取得部１２から受け渡された表示装置情報がＤの場合は表示データ＃２を読み出し、表示装置情報取得部１２から受け渡された表示装置情報がＥ，Ｆの場合は表示データ＃３を読み出すことを示している。表示装置情報Ａ〜Ｆは、例えば、表示装置情報が画面アスペクト比の場合、Ａ＝画面アスペクト比４：３、Ｅ＝画面アスペクト比１６：９などである。前述のように、表示装置情報Ａ〜Ｆは、表示装置２の型番などであってもよい。なお、図４に示すテーブルは一例であって、１つの表示装置情報に対して１つの表示データが対応する内容のテーブルであってもよい。
【００２３】
表示装置情報取得部１２は、表示装置２から表示装置情報を取得できなかった場合（ステップＳ３：Ｎｏ）、表示装置２から表示装置情報以外のログデータを取得できたか否かを確認する（ステップＳ６）。表示装置情報取得部１２は、実際には表示装置２の動作状況などを示すログデータを取得する際に、ログデータに含まれる表示装置情報を取得している。そのため、本実施の形態に対応した表示装置２は、記憶部２１内のログデータに表示装置情報を含んでおり、本実施の形態に対応していない表示装置は、記憶部内のログデータに表示装置情報を含んでいないことになる。表示装置情報取得部１２は、表示装置２から表示装置情報以外のログデータを取得できた場合（ステップＳ６：Ｙｅｓ）、表示装置情報を取得できなかった旨を配信部１３に通知する。配信部１３は、表示装置情報取得部１２から表示装置情報を取得できなかった旨の通知を受けた場合、予めデフォルト設定されている表示データを記憶部１１から読み出す（ステップＳ７）。デフォルト設定の表示データについては、予め車両内表示システム４の管理者などが設定をしておくこととする。配信部１３は、記憶部１１から読み出した表示データを表示装置２に配信する（ステップＳ８）。
【００２４】
表示装置情報取得部１２は、表示装置２から表示装置情報以外のログデータも取得できなかった場合（ステップＳ６：Ｎｏ）、全ての表示装置２に対して表示装置情報を要求したか否かを確認する（ステップＳ９）。表示装置情報取得部１２は、全ての表示装置２に対して表示装置情報を要求していない場合（ステップＳ９：Ｎｏ）、表示装置情報を要求する表示装置２を変更し、変更後の表示装置２に対して表示装置情報を要求する（ステップＳ１０）。以降、配信装置１では、ステップＳ３の処理に戻って前述のような動作を行う。表示装置情報取得部１２は、全ての表示装置２に対して表示装置情報を要求した場合（ステップＳ９：Ｙｅｓ）、表示装置２は故障していると判断し、表示装置２が故障している旨を配信部１３に通知する。配信部１３は、表示装置情報取得部１２から表示装置２が故障している旨の通知を受けた場合、表示データを配信しない（ステップＳ１１）。なお、表示装置情報取得部１２は、表示装置２が故障していると判断した場合、配信部１３に通知をせずに処理を終了してもよい。
【００２５】
つぎに、表示装置２の動作について説明する。図５は、実施の形態１にかかる表示装置２の動作を示すフローチャートである。
【００２６】
まず、応答部２２は、配信装置１から表示装置情報の要求を受け付けると（ステップＳ２１）、記憶部２１から表示装置情報を読み出す。応答部２２は、読み出した表示装置情報を配信装置１に出力する（ステップＳ２２）。表示装置情報を取得した配信装置１は、表示装置情報に対応した表示データを表示装置２に配信する。受信部２３は、配信装置１から配信された表示データを受信すると（ステップＳ２３）、受信した表示データを表示部２４に受け渡す。表示部２４は、取得した表示データを用いて表示を行う（ステップＳ２４）。配信部２５は、配信装置１から配信された表示データを隣接する表示装置２に配信する（ステップＳ２５）。なお、表示装置２では、ステップＳ２５の処理について、ステップＳ２３，Ｓ２４の処理と並行して行ってもよい。
【００２７】
車両内表示システム４において、表示装置２が配信装置１から配信された表示データを表示するまでの配信装置１および表示装置２の動作を、フローチャートを用いて説明する。図６は、実施の形態１にかかる車両内表示システム４において表示装置２が表示データを表示するまでの動作を示すフローチャートである。まず、配信装置１では、表示装置情報取得部１２が、表示装置２に表示装置情報を要求する（ステップＳ３１）。表示装置２では、応答部２２が、記憶部２１から表示装置情報を読み出し、読み出した表示装置情報を配信装置１に応答、すなわち出力する（ステップＳ３２）。配信装置１では、配信部１３が、表示装置情報取得部１２で表示装置２から取得された表示装置情報に基づいて表示装置２で表示可能な表示データを記憶部１１から読み出し、読み出した表示データを表示装置２に配信する（ステップＳ３３）。そして、表示装置２では、受信部２３で受信された表示データを、表示部２４が表示する（ステップＳ３４）。
【００２８】
つづいて、配信装置１のハードウェア構成について説明する。配信装置１において、記憶部１１はメモリである。表示装置情報取得部１２および配信部１３は、インタフェース回路および処理回路により実現される。すなわち、配信装置１は、表示装置２に適した表示データを配信するための処理回路を備える。処理回路は、メモリに格納されるプログラムを実行するプロセッサおよびメモリであってもよいし、専用のハードウェアであってもよい。
【００２９】
図７は、実施の形態１にかかる配信装置１の処理回路をプロセッサおよびメモリで構成する場合の例を示す図である。処理回路がプロセッサ９１およびメモリ９２で構成される場合、配信装置１の処理回路の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをプロセッサ９１が読み出して実行することにより、各機能を実現する。すなわち、配信装置１において、処理回路は、表示装置２に適した表示データを配信することが結果的に実行されることになるプログラムを格納するためのメモリ９２を備える。また、これらのプログラムは、配信装置１の手順および方法をコンピュータに実行させるものであるともいえる。
【００３０】
ここで、プロセッサ９１は、例えば、ＣＰＵ（Central  Processing  Unit）、処理装置、演算装置、マイクロプロセッサ、マイクロコンピュータ、またはＤＳＰ（Digital  Signal  Processor）などである。また、メモリ９２は、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などである。記憶部１１のメモリとメモリ９２とは同一であってもよい。
【００３１】
図８は、実施の形態１にかかる配信装置１の処理回路を専用のハードウェアで構成する場合の例を示す図である。処理回路が専用のハードウェアで構成される場合、図８に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。配信装置１の各機能を機能別に処理回路９３で実現してもよいし、各機能をまとめて処理回路９３で実現してもよい。
【００３２】
なお、配信装置１の処理回路の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３３】
配信装置１のハードウェア構成について説明したが、表示装置２のハードウェア構成も同様である。表示装置２において記憶部２１はメモリである。表示部２４はＬＣＤ（Liquid  Crystal  Display）などのモニタである。応答部２２、受信部２３、および配信部２５はインタフェース回路および処理回路により実現される。表示装置２の処理回路は、配信装置１と同様、メモリに格納されるプログラムを実行するプロセッサおよびメモリであってもよいし、専用のハードウェアであってもよい。
【００３４】
以上説明したように、本実施の形態によれば、配信装置１は、自装置と接続している表示装置２から表示データを特定するための表示装置情報を取得し、異なる表示装置に適した複数種類の表示データの中から、表示装置情報に基づいて表示装置２に適した表示データを表示装置２に配信することとした。これにより、表示装置２は、自装置に適した表示データを表示することができる。
【００３５】
実施の形態２．
実施の形態２では、数珠繋ぎ状に接続された表示装置２の列、すなわち表示装置群が複数ある場合について説明する。
【００３６】
図９は、実施の形態２にかかる車両内表示システム４ａの構成例を示す図である。車両内表示システム４ａは、配信装置１ａと、表示装置２−１〜２−８と、を備える。配信装置１ａおよび表示装置２−１〜２−８は、列車５ａに搭載され、隣接する装置と接続線３によって接続されている。実施の形態２では、表示装置２−１，２−３，２−５，２−７が接続線３を介して数珠繋ぎ状に１列に接続され、表示装置２−２，２−４，２−６，２−８が接続線３を介して数珠繋ぎ状に１列に接続されている。表示装置２−１，２−３，２−５，２−７の表示装置２のまとまり、および表示装置２−２，２−４，２−６，２−８の表示装置２のまとまりを表示装置群とする。車両内表示システム４ａには、複数の表示装置群、図９の例では、２つの表示装置群を有する。配信装置１ａは、複数の表示装置群の各々と独立して接続し、各表示装置群に対して、実施の形態１と同様の動作を行う。
【００３７】
図１０は、実施の形態２にかかる配信装置１ａの構成例を示すブロック図である。配信装置１ａは、記憶部１１と、表示装置情報取得部１２ａと、配信部１３ａと、を備える。表示装置情報取得部１２ａおよび配信部１３ａは、表示装置２−１を含む第１の表示装置群および表示装置２−２を含む第２の表示装置群の各表示装置群に対して、実施の形態１と同様の動作を行う。すなわち、表示装置情報取得部１２ａは、各表示装置群の１つの表示装置２から表示装置情報を取得し、配信部１３ａに通知する。配信部１３ａは、表示装置群毎に、表示装置情報に基づいて各表示装置群の表示装置２で表示可能な表示データを記憶部１１から読み出し、読み出した表示データを各表示装置群の１つの表示装置２に配信する。配信装置１ａは、表示装置群毎に異なる表示データを配信することができる。なお、図９および図１０では、配信装置１ａが２つの表示装置群に対して個別に表示データを配信しているが、一例であり、表示装置群は３つ以上であってもよい。
【００３８】
以上説明したように、本実施の形態によれば、配信装置１ａは、表示装置群毎に、自装置と接続している表示装置２から表示データを特定するための表示装置情報を取得し、異なる表示装置に適した複数種類の表示データの中から、表示装置情報に基づいて表示装置２に適した表示データを表示装置２に配信することとした。これにより、各表示装置群の表示装置２は、自装置に適した表示データを表示することができる。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１，１ａ  配信装置、２−１〜２−８  表示装置、３  接続線、４，４ａ  車両内表示システム、５，５ａ  列車、１１，２１  記憶部、１２，１２ａ  表示装置情報取得部、１３，１３ａ，２５  配信部、２２  応答部、２３  受信部、２４  表示部。
【図１】
0006765514.tif 000002
【図２】
0006765514.tif 000003
【図３】
0006765514.tif 000004
【図４】
0006765514.tif 000005
【図５】
0006765514.tif 000006
【図６】
0006765514.tif 000007
【図７】
0006765514.tif 000008
【図８】
0006765514.tif 000009
【図９】
0006765514.tif 000010
【図１０】
0006765514.tif 000011